(57)【要約】【課題】位置情報を有する画像データを地図に関連付けて用いることが可能な技術を提供する。【解決手段】携帯電話機１Ａは、第１表示部１５を有する第１筐体と、第２表示部１６を有する第２筐体と、画像データと当該画像データに関連付けられた位置情報とを記憶する記憶部１０７と、現在位置に関する現在位置情報を取得する位置情報取得部１１５と、現在位置情報に基づいて現在位置を含む地図を取得する地図取得部１１６と、画像データの中から、現在位置を含む所定領域内の位置情報を関連付けられた画像データを検索する画像検索部１１７と、第１表示部および第２表示部における表示内容を制御する表示制御部１１３とを備え、表示制御部１１３は、現在位置を含む地図を第１表示部１５に表示させ、画像検索部１１７で検索された画像データに基づく画像を第２表示部１６に表示させる。【選択図】図４
2011007701.tif 000002
【特許請求の範囲】
【請求項１】
第１表示部を有する第１筐体と、
第２表示部を有する第２筐体と、
画像データと当該画像データに関連付けられた位置情報とを記憶する記憶手段と、
現在位置に関する現在位置情報を取得する位置情報取得手段と、
前記現在位置情報に基づいて前記現在位置を含む地図を取得する地図取得手段と、
前記画像データの中から、前記現在位置を含む所定領域内の位置情報を関連付けられた画像データを検索する画像検索手段と、
前記第１表示部および前記第２表示部における表示内容を制御する表示制御手段と、
を備え、
前記表示制御手段は、前記地図を前記第１表示部に表示させ、前記画像検索手段によって検索された画像データに基づく画像を前記第２表示部に表示させる携帯型電子機器。
【請求項２】
前記地図取得手段は、前記画像検索手段によって検索された画像データの位置情報によって示される地点を表した案内地図を取得し、
前記表示制御手段は、前記第１表示部に表示させる前記地図として前記案内地図を表示させる請求項１に記載の携帯型電子機器。
【請求項３】
前記第２表示部を視認可能な第１状態と、前記第２表示部を視認不可能な第２状態との間で変位可能に、前記第１筐体と前記第２筐体とを連結する機構と、
前記第１状態と前記第２状態とを検出する状態検出手段と、
をさらに備え、
前記表示制御手段は、前記案内地図を前記第１表示部に表示させるとともに、前記状態検出手段によって前記第１状態が検出された場合、前記画像検索手段によって検索された画像データに基づく画像を前記第２表示部に表示させる請求項２に記載の携帯型電子機器。
【請求項４】
第１表示部を有する第１筐体と、
第２表示部を有する第２筐体と、
前記第１表示部で表示された地図上において、ユーザによって指定された指定地点を特定する特定手段と、
前記指定地点を含む地図を取得する地図取得手段と、
画像データと当該画像データに関連付けられた位置情報とを記憶する記憶手段と、
前記画像データの中から、前記指定地点を含む所定領域内の位置情報を関連付けられた画像データを検索する画像検索手段と、
前記第１表示部および第２表示部における表示内容を制御する表示制御手段と、
を備え、
前記表示制御手段は、前記地図を前記第１表示部に表示させ、前記画像検索手段によって検索された画像データに基づく画像を前記第２表示部に表示させる携帯型電子機器。
【請求項５】
前記地図取得手段は、前記画像検索手段によって検索された画像データの位置情報によって示される地点を表した案内地図を取得し、
前記表示制御手段は、前記第１表示部に表示させる前記地図として前記案内地図を表示させる請求項４に記載の携帯型電子機器。
【請求項６】
前記第２表示部を視認可能な第１状態と、前記第２表示部を視認不可能な第２状態との間で変位可能に、前記第１筐体と前記第２筐体とを連結する機構と、
前記第１状態と前記第２状態とを検出する状態検出手段と、
をさらに備え、
前記表示制御手段は、前記案内地図を前記第１表示部に表示させるとともに、前記状態検出手段によって前記第１状態が検出された場合、前記画像検索手段によって検索された画像データに基づく画像を前記第２表示部に表示させる請求項５に記載の携帯型電子機器。
【請求項７】
前記第１表示部は、表示面においてタッチパネルを有し、
前記特定手段は、前記タッチパネルで検出されるユーザの接触位置に基づいて前記指定地点を特定する請求項４から請求項６のいずれかに記載の携帯型電子機器。
【請求項８】
第１表示部および第２表示部を有する携帯型電子機器の動作方法であって、
ａ）画像データと当該画像データに関連付けられた位置情報とを記憶する工程と、
ｂ）現在位置に関する現在位置情報を取得する工程と、
ｃ）前記現在位置情報に基づいて前記現在位置を含む地図を取得する工程と、
ｄ）前記画像データの中から、前記現在位置を含む所定領域内の位置情報を関連付けられた画像データを検索する工程と、
ｅ）前記地図を前記第１表示部に表示させ、前記ｄ）工程で検索された画像データに基づく画像を前記第２表示部に表示させる工程と、
を備える携帯型電子機器の動作方法。
【発明の詳細な説明】
【技術分野】
【０００１】
本発明は、携帯型電子機器を用いた情報提供技術に関する。
【背景技術】
【０００２】
近年、地図情報の電子化に伴い、画像データに関する位置情報と地図情報とを関連付けて利用する技術が存在する。
【０００３】
例えば、特許文献１には、撮影地点の位置情報を含む画像データを入力し、撮影地点の情報を含む地図データを抽出して、当該地図データをディスプレイ等の画像出力装置に出力する地図検索装置が提案されている。
【先行技術文献】
【特許文献】
【０００４】
【特許文献１】特開２００２−２０２９７６号公報
【発明の概要】
【発明が解決しようとする課題】
【０００５】
上記特許文献１に記載の技術では、撮影地点の位置情報を有する画像データは、目的地の地図データを抽出するための情報として用いられていたが、出力する地図に関連付けて有効に用いられていない。
【０００６】
そこで、本発明は、位置情報を有する画像データを地図に関連付けて用いることが可能な技術を提供することを目的とする。
【課題を解決するための手段】
【０００７】
本発明に係る携帯型電子機器は、第１表示部を有する第１筐体と、第２表示部を有する第２筐体と、画像データと当該画像データに関連付けられた位置情報とを記憶する記憶手段と、現在位置に関する現在位置情報を取得する位置情報取得手段と、前記現在位置情報に基づいて前記現在位置を含む地図を取得する地図取得手段と、前記画像データの中から、前記現在位置を含む所定領域内の位置情報を関連付けられた画像データを検索する画像検索手段と、前記第１表示部および前記第２表示部における表示内容を制御する表示制御手段とを備え、前記表示制御手段は、前記地図を前記第１表示部に表示させ、前記画像検索手段によって検索された画像データに基づく画像を前記第２表示部に表示させる。
【０００８】
また、本発明に係る携帯型電子機器の一態様では、携帯型電子機器の前記地図取得手段は、前記画像検索手段によって検索された画像データの位置情報によって示される地点を表した案内地図を取得し、前記表示制御手段は、前記第１表示部に表示させる前記地図として前記案内地図を表示させる。
【０００９】
また、本発明に係る携帯型電子機器の一態様では、携帯型電子機器は、前記第２表示部を視認可能な第１状態と、前記第２表示部を視認不可能な第２状態との間で変位可能に、前記第１筐体と前記第２筐体とを連結する機構と、前記第１状態と前記第２状態とを検出する状態検出手段とをさらに備え、前記表示制御手段は、前記案内地図を前記第１表示部に表示させるとともに、前記状態検出手段によって前記第１状態が検出された場合、前記画像検索手段によって検索された画像データに基づく画像を前記第２表示部に表示させる。
【００１０】
また、本発明に係る携帯型電子機器は、第１表示部を有する第１筐体と、第２表示部を有する第２筐体と、前記第１表示部で表示された地図上において、ユーザによって指定された指定地点を特定する特定手段と、前記指定地点を含む地図を取得する地図取得手段と、画像データと当該画像データに関連付けられた位置情報とを記憶する記憶手段と、前記画像データの中から、前記指定地点を含む所定領域内の位置情報を関連付けられた画像データを検索する画像検索手段と、前記第１表示部および第２表示部における表示内容を制御する表示制御手段とを備え、前記表示制御手段は、前記地図を前記第１表示部に表示させ、前記画像検索手段によって検索された画像データに基づく画像を前記第２表示部に表示させる。
【００１１】
また、本発明に係る携帯型電子機器の一態様では、携帯型電子機器の前記地図取得手段は、前記画像検索手段によって検索された画像データの位置情報によって示される地点を表した案内地図を取得し、前記表示制御手段は、前記第１表示部に表示させる前記地図として前記案内地図を表示させる。
【００１２】
また、本発明に係る携帯型電子機器の一態様では、携帯型電子機器は、前記第２表示部を視認可能な第１状態と、前記第２表示部を視認不可能な第２状態との間で変位可能に、前記第１筐体と前記第２筐体とを連結する機構と、前記第１状態と前記第２状態とを検出する状態検出手段とをさらに備え、前記表示制御手段は、前記案内地図を前記第１表示部に表示させるとともに、前記状態検出手段によって前記第１状態が検出された場合、前記画像検索手段によって検索された画像データに基づく画像を前記第２表示部に表示させる。
【００１３】
また、本発明に係る携帯型電子機器の一態様では、携帯型電子機器の前記第１表示部は、表示面においてタッチパネルを有し、前記特定手段は、前記タッチパネルで検出されるユーザの接触位置に基づいて前記指定地点を特定する。
【００１４】
また、本発明に係る第１表示部および第２表示部を有する携帯型電子機器の動作方法は、ａ）画像データと当該画像データに関連付けられた位置情報とを記憶する工程と、ｂ）現在位置に関する現在位置情報を取得する工程と、ｃ）前記現在位置情報に基づいて前記現在位置を含む地図を取得する工程と、ｄ）前記画像データの中から、前記現在位置を含む所定領域内の位置情報を関連付けられた画像データを検索する工程と、ｅ）前記地図を前記第１表示部に表示させ、前記ｄ）工程で検索された画像データに基づく画像を前記第２表示部に表示させる工程とを備える。
【発明の効果】
【００１５】
本発明によれば、位置情報を有する画像データを地図に関連付けて用いることが可能になる。
【図面の簡単な説明】
【００１６】
【図１】本発明の第１実施形態に係る携帯型電子機器を含む通信システムの構成図である。
【図２】携帯電話機の外観構成を示す図である。
【図３】携帯電話機の外観構成を示す図である。
【図４】携帯電話機の機能構成を示すブロック図である。
【図５】位置情報付き画像データの記憶部への保存形式を示す図である。
【図６】Ｗｅｂサイトから位置情報付き画像データを取得する際の動作を示すフローチャートである。
【図７】携帯電話機のナビゲーションモードにおける動作を示すフローチャートである。
【図８】携帯電話機の第１表示部における表示態様を示す図である。
【図９】携帯電話機の各表示部における表示態様を示す図である。
【図１０】携帯電話機の各表示部における表示態様を示す図である。
【図１１】第２実施形態に係る携帯電話機のナビゲーションモードにおける動作を示すフローチャートである。
【図１２】携帯電話機の第１表示部における表示態様を示す図である。
【図１３】携帯電話機の各表示部における表示態様を示す図である。
【図１４】第３実施形態に係る携帯電話機のナビゲーションモードにおける動作を示すフローチャートである。
【図１５】携帯電話機の第１表示部における表示態様を示す図である。
【図１６】携帯電話機の各表示部における表示態様を示す図である。
【図１７】携帯電話機の各表示部における表示態様を示す図である。
【図１８】携帯電話機の各表示部における表示態様を示す図である。
【発明を実施するための形態】
【００１７】
以下、本発明の実施形態について図面を参照して説明する。
【００１８】
＜１．第１実施形態＞
＜構成概要＞
図１は、本発明の第１実施形態に係る携帯型電子機器１０を含む通信システムＳＹの構成図である。なお、本発明では、携帯型電子機器１０として携帯電話機１Ａを採用する場合について例示する。図２および図３は、携帯電話機１Ａの外観構成を示す図である。
【００１９】
図１に示されるように、通信システムＳＹは、携帯電話機１Ａ、通信ネットワーク５、インターネット７、サーバ装置６、および衛星８を含んで構成され、地図を利用した様々なサービスを携帯電話機１Ａで提供する。携帯電話機１Ａは、通信ネットワーク（移動体通信網）５を介してコンテンツプロバイダ側のサーバ装置６およびインターネット７に接続されている。また、携帯電話機１Ａは、衛星８からのＧＰＳ信号を受信可能に構成され、衛星８からのＧＰＳ信号に基づいて現在位置を特定可能となっている。
【００２０】
図２に示されるように、携帯電話機１Ａは、２つの筐体１１，１２を有している。２つの筐体１１，１２は、互いの相対位置をオープン状態（開状態）とクローズ状態（閉状態）との間で変位可能にする機構によって連結されている。図２には、一方の筐体（例えば筐体１２）を他方の筐体（例えば筐体１１）に対してスライド移動させたオープン状態の携帯電話機１Ａが示され、図３には、クローズ状態の携帯電話機１Ａが示されている。
【００２１】
また、筐体１１，１２には、液晶ディスプレイ、有機ＥＬディスプレイ等の表示部１５，１６がそれぞれ設けられている。これにより、携帯電話機１Ａのオープン状態では、ユーザ（使用者）は、筐体１１，１２に設けられた表示部１５，１６をそれぞれ視認することが可能になる。一方、携帯電話機１Ａのクローズ状態では、第２表示部１６は筐体１１によって隠されるので、ユーザは、第２表示部１６を視認することができなくなる。
【００２２】
＜携帯電話機１Ａの機能＞
次に、携帯電話機１Ａの機能構成について説明する。図４は、携帯電話機１Ａの機能構成を示すブロック図である。図５は、位置情報付き画像データの記憶部への保存形式を示す図である。
【００２３】
図４に示されるように、携帯電話機１Ａは、ＧＰＳ受信部１０１、無線送受信部１０２、撮像部１０３、音声出力部１０４、第１表示部１５、第２表示部１６、第１表示部１５に設けられたタッチパネル１０５、第２表示部１６に設けられたタッチパネル１０６、および全体制御部１１０等を備えている。
【００２４】
ＧＰＳ受信部１０１は、アンテナを介して衛星８からのＧＰＳ信号を受信し、ＧＰＳ信号を全体制御部１１０に伝達する機能を有している。
【００２５】
無線送受信部１０２は、通信ネットワーク５に接続されたサーバ装置６およびインターネット７と、アンテナを介して通信可能な機能を有している。
【００２６】
撮像部１０３は、光電変換素子である撮像素子（ＣＣＤまたはＣＭＯＳ等）を備えて構成され、被写体像に係る画像信号を取得する。撮像素子で生成された画像信号には、Ａ／Ｄ変換、および画像処理等が施された後、撮影画像として例えば記憶部１０７に記憶される。
【００２７】
音声出力部１０４は、全体制御部１１０からの音声データを、音声に変換して外部出力する機能を有している。
【００２８】
第１表示部１５および第２表示部１６の各表示面には、操作部として機能する透過式タッチパネル（単に「タッチパネル」とも称する）１０５，１０６が設けられている。タッチパネル１０５，１０６は、ユーザによるタッチ位置（接触位置）を検出可能であり、ユーザは、表示部１５，１６に表示される図柄に対応した指示をタッチパネル１０５，１０６を介して携帯電話機１Ａに入力することがきる。
【００２９】
全体制御部１１０は、マイクロコンピュータとして構成され、主にＣＰＵ１１０Ａ、ＲＡＭ１１０ＢおよびＲＯＭ１１０Ｃ等を備えている。全体制御部１１０は、ＲＯＭ１１０Ｃ内に格納されたプログラムを読み出し、当該プログラムをＣＰＵ１１０Ａで実行することによって、各種機能を実現する。図４における、撮影制御部１１１、操作内容認識部１１２、表示制御部１１３、状態検出部１１４、位置情報取得部１１５、地図取得部（地図生成部）１１６、および画像検索部１１７は、全体制御部１１０においてプログラムを実行することによって実現される機能を機能ブロックとして表したものである。
【００３０】
撮影制御部１１１は、被写体を撮影する際の撮影モードにおいて撮像部１０３を用いた撮影動作を制御する機能を有している。
【００３１】
操作内容認識部１１２は、表示部１５，１６の表示内容と、タッチパネル１０５，１０６のタッチ位置とに基づいて、ユーザの操作内容を認識する機能を有している。
【００３２】
表示制御部１１３は、表示部１５，１６における表示内容を制御する。例えば、表示制御部１１３は、記憶部１０７に記憶された画像データを表示する画像表示モードにおいて、記憶部１０７に蓄えられた各画像を表示部１５（または表示部１６）に表示させる。
【００３３】
状態検出部１１４は、携帯電話機１Ａを構成する筐体１１，１２のスライド状態に応じて、携帯電話機１Ａの状態検出を行う。当該状態検出部１１４では、２つの表示部１５，１６を視認可能なオープン状態と、１つの表示部１５を視認可能なクローズ状態とが検出される。
【００３４】
位置情報取得部１１５は、ＧＰＳ受信部１０１で受信されたＧＰＳ信号に基づいて、現在位置（現在地）に関する情報（「現在位置情報」とも称する）を取得する。
【００３５】
地図取得部１１６は、例えば、ナビゲーション用のソフトウェアを実行することにより実現される機能部であり、地図上の所定地点を含む地図を取得する。また、地図取得部１１６は、上記所定地点における案内情報を付加した地図（案内地図）を取得（生成）する機能をも有している。なお、本実施形態では、位置情報取得部１１５によって取得された現在位置を地図上の上記所定地点とした場合について例示する。
【００３６】
画像検索部１１７は、記憶部１０７に記憶された、関連付けられた位置情報（「関連位置情報」とも称する）を有する画像データの中から、地図上の所定領域（「検索領域」または「検索範囲」とも称する）内の位置情報を有する画像データを検索する機能を有している。具体的には、画像検索部１１７は、位置情報取得部１１５で取得された現在位置情報と、予め設定された検索距離とに基づいて検索対象とする検索領域を地図上で設定する。そして、画像検索部１１７は、設定された検索領域、および画像データに関連付けられた位置情報に基づいて、記憶部１０７に記憶されている画像データの中から、位置情報によって示される地点が検索領域に含まれる画像データを抽出する。
【００３７】
なお、関連位置情報を有する画像データ（「位置情報付き画像データ」とも称する）は、例えば、デジタルスチルカメラによって生成されるＥｘｉｆの規格に基づいた画像ファイルである。当該画像ファイルは、デジタルスチルカメラで撮影が行われた際に、撮影地点、撮影日時および撮影条件等の付加情報（「Ｅｘｉｆ情報」とも称する）を撮影画像に関連付けて生成される。また、関連位置情報には、撮影された際の撮影地点に関する情報が含まれていてもよく、或いは被写体の存在位置に関する情報が含まれていてもよい。撮影地点および被写体の存在位置に関する各情報は、撮影後に、ユーザによって画像データに付加される場合も想定される。
【００３８】
また、記憶部１０７に記憶されている画像データは、ユーザが携帯電話機１Ａで撮影して取得した画像データであってもよい。この場合、記憶部１０７へ保存する際には、図５に示されるように、関連位置情報と画像データとを関連づけてデータテーブル化してもよい。このようにデータテーブル化して保存することによれば、画像データの検索速度を向上させることができる。
【００３９】
或いは、記憶部１０７に記憶されている画像データは、ユーザが通信ネットワーク５を介して外部のＷｅｂサイトから取得した画像であってもよい。Ｗｅｂサイトから位置情報付き画像データを取得する場合は、次述の図６に示される各工程を経て記憶部１０７に位置情報付き画像データが保存される。図６は、Ｗｅｂサイトから位置情報付き画像データを取得する際の動作を示すフローチャートである。
【００４０】
具体的には、ブラウザを起動してＷｅｂサイト上の画像データを表示部（例えば、第１表示部１５）に表示している状態で、タッチパネル操作により位置情報付き画像が選択されると（ステップＳＰ１１）、動作工程は、ステップＳＰ１２に移行される。
【００４１】
ステップＳＰ１２では、選択された位置情報付き画像（選択画像）が、記憶部１０７に保存される。
【００４２】
次のステップＳＰ１３では、ブラウザの起動が継続されているか否かが判定され、ブラウザの起動が継続されていない場合は、Ｗｅｂサイトからの画像データの保存処理は終了する。一方、ブラウザの起動が継続されている場合は、動作工程はステップＳＰ１１に移行される。すなわち、ブラウザの起動が継続されている間は、ステップＳＰ１１〜ステップＳＰ１３の各工程が繰り返し実行され、Ｗｅｂサイトからの位置情報付き画像データの取得が継続して行われる。
【００４３】
なお、ステップＳＰ１２で位置情報付き画像データを記憶部１０７へ保存する際には、位置情報付き画像データをそのままの形式で保存してもよく、図５に示されるように、位置情報を取り出してデータテーブル化して保存してもよい。
【００４４】
＜動作＞
以下では、携帯電話機１Ａの動作について説明する。
【００４５】
携帯電話機１Ａでは、ユーザは、タッチパネル１０５，１０６等を用いた選択操作によって、ナビゲーションモード、撮影モード、および画像表示モード等を有効化させることができる。ここでは、地図表示を行うナビゲーションモードが有効化されている場合の携帯電話機１Ａの動作について説明する。図７は、ナビゲーションモードにおける携帯電話機１Ａの動作を示すフローチャートである。図８は、携帯電話機１Ａの第１表示部１５における表示態様を示す図である。図９および図１０は、携帯電話機１Ａの各表示部１５，１６における表示態様を示す図である。
【００４６】
図７に示されるように、携帯電話機１Ａでは、ステップＳＰ２１においてナビゲーションモードが実行中であるか否かが判定される。ナビゲーションモードが実行中であった場合は、動作工程は、ステップＳＰ２２に移行され、ナビゲーションモードが実行中でなかった場合は、ナビゲーションモードにおける携帯電話機１Ａの動作は終了される。
【００４７】
ステップＳＰ２２では、位置情報取得部１１５によって現在位置情報が取得される。
【００４８】
ステップＳＰ２３では、画像検索部１１７によって、検索領域の設定が行われる。検索領域は、予め設定された検索距離と現在位置情報とに基づいて、第１表示部１５に表示される地図上において設定される。ここでは、現在位置を円の中心、検索距離を円の半径とした場合に形成される円に囲まれる領域が検索領域として地図上で設定されることになる。
【００４９】
ステップＳＰ２４では、画像検索部１１７によって、記憶部１０７に記憶されている画像データの中から、検索領域内の位置情報を関連付けられた画像データ（「近隣画像」または「周辺画像」とも称する）が検索される。近隣画像の検索は、画像データが有する関連位置情報によって特定される地点が検索領域に含まれるか否かに基づいて行われる。そして、このような近隣画像の検索処理によって抽出された画像データは、現在位置における案内情報として用いられる。
【００５０】
ステップＳＰ２５では、記憶部１０７に記憶された画像データの中から近隣画像が発見（抽出）されたか否かが判断される。近隣画像が発見されなかった場合は、動作工程はステップＳＰ２１に移行される。一方、近隣画像が発見された場合は、動作工程はステップＳＰ２６に移行される。
【００５１】
ステップＳＰ２６では、地図取得部１１６によって、近隣画像が発見されたことを示す情報が地図データに付加され、案内地図が取得される。
【００５２】
そして、ステップＳＰ２７では、表示制御部１１３によって、案内地図が第１表示部１５に表示される。具体的には、図８に示されるように、現在位置を示す表示ＣＰとともに、近隣画像が発見されたことを示す表示（「お知らせ表示」とも称する）ＮＨ１を含む地図ＭＡ１が、第１表示部１５に表示される。なお、図８では、発見された近隣画像の位置を示す態様のアイコンが、お知らせ表示ＮＨ１として用いられている。このように、案内地図には、近隣画像に関する画像データの関連位置情報によって示される地点が地図上に表されている。
【００５３】
次のステップＳＰ２８では、状態検出部１１４によって携帯電話機１Ａがオープン状態であるか否かが判定される。オープン状態でないと判定された場合は、動作工程は、ステップＳＰ２１に移行される。一方、オープン状態であると判定された場合は、動作工程は、ステップＳＰ２９に移行される。
【００５４】
ステップＳＰ２９では、表示制御部１１３によって第２表示部１６に検索された近隣画像が表示される。具体的には、図９に示されるように、第２表示部１６に近隣画像ＫＧ１が表示される。このように、携帯電話機１Ａでは、オープン状態の検出に応じて、近隣画像ＫＧ１を第２表示部１６に表示するように制御されるので、ユーザは、クローズ状態からオープン状態に変更することで、近隣画像ＫＧ１を視認することが可能になる。なお、第２表示部１６の表示態様は、図９に示される態様に限定されず、図１０に示されるように近隣画像ＫＧ１に加えて近隣画像ＫＧ１の被写体に関する付属情報ＨＦをさらに表示してもよい。
【００５５】
ステップＳＰ２９が終了すると、動作工程は、ステップＳＰ２１に移行される。
【００５６】
以上のように、携帯電話機１Ａは、記憶部１０７に記憶された、関連位置情報を有する画像データの中から、現在位置付近の関連位置情報を有する画像データを検索し、現在位置付近の関連位置情報を有する画像データが存在した場合、現在位置付近の関連位置情報を有する画像データに基づく画像を第２表示部１６に表示させる。これによれば、関連位置情報を有する画像データを地図に関連付けて用いることが可能になり、ユーザの利便性が向上する。
【００５７】
またさらに、検索された当該画像データの関連位置情報によって示される地点を表した案内地図を取得し、当該案内地図を第１表示部１５に表示させる。これによれば、関連位置情報を有する画像データを地図にさらに関連付けて用いることが可能になる。
【００５８】
一般に、記憶部１０７に記憶された画像データは、ユーザが過去または現在において興味を持った画像である可能性が高い。このような画像データの中から、現在位置に対して比較的近い関連位置情報を有する画像データを検索し、検索された画像をユーザに知らせることによれば、ユーザが興味を有していた場所、或いはユーザの嗜好に合致する場所にユーザが立ち寄る機会を逃すことを防止することができる。
【００５９】
また、同時に視認可能な第１表示部１５と第２表示部１６とを有する携帯電話機１Ａでは、地図と画像とを異なる画面に別々に表示させることが可能になるので、地図および画像の視認性を向上させることができる。
【００６０】
＜２．第２実施形態＞
次に、本発明の第２実施形態について説明する。上記第１実施形態では、位置情報取得部１１５によって取得された現在位置付近の画像が案内情報として取得されていたが、第２実施形態では、地図上においてユーザによって指定された地点（「指定地点」とも称する）付近の画像が案内情報として取得される。
【００６１】
なお、第２実施形態に係る携帯電話機１Ｂは、携帯電話機１Ａとほぼ同様の構造および機能（図１〜図４参照）を有しており、共通する部分については同じ符号を付して説明を省略する。
【００６２】
ここで、携帯電話機１Ｂの動作について説明する。図１１は、ナビゲーションモードにおける携帯電話機１Ｂの動作を示すフローチャートである。図１２は、携帯電話機１Ｂの第１表示部１５における表示態様を示す図である。図１３は、携帯電話機１Ｂの各表示部１５，１６における表示態様を示す図である。
【００６３】
図１１に示されるように、携帯電話機１Ｂでは、ステップＳＰ５１においてナビゲーションモードが実行中であるか否かが判定される。ナビゲーションモードが実行中であった場合は、動作工程は、ステップＳＰ５２に移行され、ナビゲーションモードが実行中でなかった場合は、ナビゲーションモードにおける携帯電話機１Ｂの動作は終了される。
【００６４】
ステップＳＰ５２では、地図が表示されている第１表示部１５において、ユーザによって位置指定が行われたか否かが判定される。位置指定は、第１表示部１５の表示面へのタッチ操作によって行われ、第１表示部１５に表示された地図と、タッチパネル１０５で検出されたタッチ位置とに基づいて、操作内容認識部１１２により地図上の指定地点が特定される。
【００６５】
ステップＳＰ５３では、画像検索部１１７によって、検索領域の設定が行われる。検索領域は、予め設定された検索距離と指定地点とに基づいて設定される。例えば、検索距離が１００メートルに設定されていた場合は、指定地点を中心とした半径１００メートルの円で規定される領域が検索領域として地図上で設定されることになる。
【００６６】
ステップＳＰ５４では、画像検索部１１７によって、記憶部１０７に記憶されている画像データの中から、検索領域内の位置情報を関連付けられた画像データ（「周辺画像」とも称する）が検索される。周辺画像の検索は、画像データが有する関連位置情報によって特定される地点が検索領域に含まれるか否かに基づいて行われる。そして、このような周辺画像の検索処理によって抽出された画像データは、指定地点における案内情報として用いられる。
【００６７】
ステップＳＰ５５では、記憶部１０７に記憶された画像データの中から周辺画像が発見（抽出）されたか否かが判断される。周辺画像が発見されなかった場合は、動作工程はステップＳＰ５１に移行される。一方、周辺画像が発見された場合は、動作工程はステップＳＰ５６に移行される。
【００６８】
ステップＳＰ５６では、地図取得部１１６によって、周辺画像が発見されたことを示す情報が地図データに付加され、案内地図が取得される。
【００６９】
そして、ステップＳＰ５７では、表示制御部１１３によって、案内地図が第１表示部１５に表示される。具体的には、図１２に示されるように、指定地点を示す表示ＴＰとともに、指定地点ＴＰの周辺画像が発見されたことを示す表示（お知らせ表示）ＮＨ２を含む地図ＭＡ２が、第１表示部１５に表示される。なお、図１２では、発見された周辺画像の位置を示す態様のアイコンが、お知らせ表示ＮＨ２として用いられている。
【００７０】
次のステップＳＰ５８では、状態検出部１１４によって携帯電話機１Ｂがオープン状態であるか否かが判定される。オープン状態でないと判定された場合は、動作工程は、ステップＳＰ５１に移行される。一方、オープン状態であると判定された場合は、動作工程は、ステップＳＰ５９に移行される。
【００７１】
ステップＳＰ５９では、表示制御部１１３によって第２表示部１６に検索された周辺画像が表示される。具体的には、図１３に示されるように、第２表示部１６に周辺画像ＫＧ２が表示される。
【００７２】
ステップＳＰ５９が終了すると、動作工程は、ステップＳＰ５１に移行される。
【００７３】
以上のように、携帯電話機１Ｂは、記憶部１０７に記憶された画像データの中から、ユーザによって指定された指定位置付近の関連位置情報を有する画像データを検索し、指定位置付近の関連位置情報を有する画像データが存在した場合、指定位置付近の関連位置情報を有する画像データに基づく画像を第２表示部１６に表示させる。これによれば、関連位置情報を有する画像データを地図に関連付けて用いることが可能になり、ユーザの利便性が向上する。
【００７４】
またさらに、検索された当該画像データの関連位置情報によって示される地点を表した案内地図を取得し、当該案内地図を第１表示部１５に表示させる。これによれば、関連位置情報を有する画像データを地図にさらに関連付けて用いることが可能になる。また、ユーザは、移動前に、所望の場所に関する情報を取得することができるので、移動前に興味のあった場所或いはユーザの嗜好に合致する場所に立ち寄る計画を立て易くなる。
【００７５】
＜３．第３実施形態＞
次に、本発明の第３実施形態について説明する。第３実施形態に係る携帯電話機１Ｃでは、地図上に目的地までの案内経路が表示されるとともに、当該案内経路が周辺画像の選択により変更される。
【００７６】
なお、第３実施形態に係る携帯電話機１Ｃは、携帯電話機１Ａとほぼ同様の構造および機能（図１〜図４参照）を有しており、共通する部分については同じ符号を付して説明を省略する。
【００７７】
ここで、携帯電話機１Ｃの動作について説明する。図１４は、ナビゲーションモードにおける携帯電話機１Ｃの動作を示すフローチャートである。図１５は、携帯電話機１Ｃの第１表示部１５における表示態様を示す図である。図１６は、携帯電話機１Ｃの各表示部１５，１６における表示態様を示す図である。
【００７８】
図１４に示されるように、携帯電話機１Ｃでは、ステップＳＰ８１においてナビゲーションモードが実行中であるか否かが判定される。ナビゲーションモードが実行中であった場合は、動作工程は、ステップＳＰ８２に移行され、ナビゲーションモードが実行中でなかった場合は、ナビゲーションモードにおける携帯電話機１Ｃの動作は終了される。
【００７９】
ステップＳＰ８２では、ユーザによって目的地に関する目的地情報が入力されたか否かが判定される。目的地情報が入力されなかった場合は、動作工程はステップＳＰ８１に移行され、ステップＳＰ８１の動作が再度実行される。一方、目的地情報が入力された場合は、動作工程はステップＳＰ８３に移行される。
【００８０】
ステップＳＰ８３では、位置情報取得部１１５によって現在位置情報が取得される。
【００８１】
ステップＳＰ８４では、画像検索部１１７によって、検索領域の設定が行われる。検索領域は、予め設定された検索距離と現在位置情報とに基づいて、第１表示部１５に表示される地図上において設定される。ここでは、現在位置を円の中心、検索距離を円の半径とした場合に形成される円に囲まれる領域が検索領域として地図上で設定されることになる。
【００８２】
ステップＳＰ８５では、画像検索部１１７によって、記憶部１０７に記憶されている画像データの中から、検索領域内の位置情報を関連付けられた画像データ（「近隣画像」または「周辺画像」とも称する）が検索される。近隣画像の検索は、画像データが有する関連位置情報によって特定される地点が検索領域に含まれるか否かに基づいて行われる。そして、このような近隣画像の検索処理によって抽出された画像データは、現在位置における案内情報として用いられる。
【００８３】
ステップＳＰ８６では、記憶部１０７に記憶された画像データの中から近隣画像が発見（抽出）されたか否かが判断される。近隣画像が発見されなかった場合は、動作工程はステップＳＰ８１に移行される。一方、近隣画像が発見された場合は、動作工程はステップＳＰ８７に移行される。
【００８４】
ステップＳＰ８７では、近隣画像が発見されたことを示す情報と目的地までの経路（案内経路）ＫＲが地図データに付加され、地図取得部１１６によって、案内地図が取得される。
【００８５】
そして、ステップＳＰ８８では、表示制御部１１３によって、案内地図が第１表示部１５に表示される。具体的には、図１５に示されるように、現在位置ＣＰとともに、近隣画像が発見されたことを示す表示（「お知らせ表示」とも称する）ＮＨ３および目的地ＭＰまでの経路ＫＲを含む地図ＭＡ３が、第１表示部１５に表示される。なお、図１５では、発見された近隣画像の関連位置情報が示す地点を表す態様のアイコンが、お知らせ表示ＮＨ３として用いられている。
【００８６】
ステップＳＰ８９では、操作内容認識部１１２において、第１表示部１５に表示された近隣画像がユーザに選択されたか否かが判定される。近隣画像の選択は、例えば、お知らせ表示ＮＨ３をタッチすることにより行われる。近隣画像が選択されなかったと判定された場合は、動作工程は、ステップＳＰ９２に移行される。一方、近隣画像が選択されたと判定された場合は、動作工程は、ステップＳＰ９０に移行される。
【００８７】
ステップＳＰ９０では、地図取得部１１６によって、案内地図の変更が行われる。具体的には、選択された近隣画像が有する関連位置情報によって示される地点を経由して目的地に向かうように案内経路が変更される。
【００８８】
ステップＳＰ９１では、表示制御部１１３によって、変更された案内地図が第１表示部１５に表示される。具体的には、図１６に示されるように、図１５のお知らせ表示ＮＨ３によって示される地点ＫＰを経由した場合の目的地ＭＰまでの経路ＫＳを含む地図ＭＡ４が、第１表示部１５に表示される。
【００８９】
次のステップＳＰ９２では、状態検出部１１４によって携帯電話機１Ｃがオープン状態であるか否かが判定される。オープン状態でないと判定された場合は、動作工程は、ステップＳＰ８１に移行される。一方、オープン状態であると判定された場合は、動作工程は、ステップＳＰ９３に移行される。
【００９０】
ステップＳＰ９３では、表示制御部１１３によって、第２表示部１６に検索された近隣画像が表示される。具体的には、図１６に示されるように、第２表示部１６に近隣画像ＫＧ１が表示される。
【００９１】
ステップＳＰ９３が終了すると、動作工程は、ステップＳＰ８１に移行される。
【００９２】
以上のように、携帯電話機１Ｃでは、案内地図に表示された近隣画像が選択されると、選択された近隣画像の関連位置情報に基づいて、目的地までの経路が変更され、変更された経路が第１表示部１５に表示される。これによれば、ユーザの利便性をさらに向上させることができる。
【００９３】
＜４．変形例＞
以上、この発明の実施の形態について説明したが、この発明は上記説明した内容のものに限定されるものではない。
【００９４】
例えば、上記各実施形態では、第１表示部１５に地図を表示し、第２表示部１６に画像を表示していたが、これに限定されない。
【００９５】
具体的には、表示部の表示内容を入れ替えて、第１表示部１５に画像を表示し、第２表示部１６に地図を表示してもよい。
【００９６】
また、上記各実施形態では、周辺画像の検索前には地図表示を行わない動作態様を例示していたが、これに限定されない。具体的には、周辺画像の検索前に、換言すれば、案内地図を表示する前に、案内情報が付加されていない（案内情報未付加の）通常の地図を第１表示部１５に表示してもよい。
【００９７】
また、上記各実施形態では、Ｗｅｂサイトから取得した画像データをデータテーブル化して記憶部１０７に保存する場合について例示したが、これに限定されない。具体的には、位置情報付き画像データを記憶部１０７とは別の記憶領域にファイル保存し、ファイルパスを記憶部１０７に保存してもよい。
【００９８】
また、上記各実施形態では、Ｗｅｂサイトから位置情報付き画像データを取得する際、タッチパネル操作により選択された画像を記憶部１０７に保存していたが、これに限定されず、ブラウザに位置情報付きの画像が表示された際に、表示された画像に関する画像データを記憶部１０７に保存するようにしてもよい。
【００９９】
また、位置情報付き画像データを記憶部１０７へ保存する際には、画像サイズをリサイズして画像データの容量を圧縮してもよい。これによれば、位置情報付き画像データを保存するために利用される記憶部１０７の使用領域を節減することができる。
【０１００】
また、上記各実施形態では、記憶部１０７に保存されていた位置情報付き画像データの中から、周辺画像を検索していたが、これに限定されない。
【０１０１】
具体的には、画像データに関連付けられた位置情報に基づいて画像データを検索可能な所定のサーバ装置を利用して、周辺画像の検索を行ってもよい。この場合、現在位置または指定地点に関する位置情報が、通信ネットワーク５を介して上記所定のサーバ装置に入力され、当該所定のサーバ装置において周辺画像の検索が行われる。そして、携帯電話機は、上記所定のサーバ装置による検索結果を通信ネットワーク５を介して取得し、検索結果を第１表示部１５に表示させる。
【０１０２】
また、上記各実施形態では、周辺画像の検索によって周辺画像が発見された場合、周辺画像の発見を地図上の表示でユーザに伝えていたが、これに限定されない。
【０１０３】
具体的には、周辺画像が発見された場合、表示部１５，１６を点滅させることによって、周辺画像の発見をユーザに伝えてもよい。なお、表示部１５，１６の点滅間隔を、現在位置と周辺画像の関連位置情報が示す地点との距離に応じて変更してもよい。また、音声出力部１０４から音声を出力して、周辺画像の発見をユーザに伝えてもよい。
【０１０４】
また、上記各実施形態では、周辺画像の検索によって周辺画像が発見された場合、地図上にアイコンを表示してユーザに周辺画像の発見を伝えていたが、地図に表示されるアイコンの大きさおよび／またはアイコンの透過度を、現在位置（第２実施形態では指定位置）と周辺画像の関連位置情報が示す地点との距離に応じて変更させてもよい。
【０１０５】
また、上記各実施形態では、周辺画像の検索によって、１つの周辺画像が発見された場合を例示していたがこれに限定されず、周辺画像の検索によって、複数の周辺画像が発見されてもよい。図１７および図１８は、変形例に係る携帯電話機の各表示部１５，１６における表示態様を示す図である。
【０１０６】
例えば、第１実施形態のステップＳＰ２４において複数の周辺画像が発見された場合、図１７に示されるように、複数の周辺画像が発見されたことを示す表示ＮＨＷと、各周辺画像の関連位置情報を示す表示ＨＱ１〜ＨＱ５を含む案内地図ＭＡ１０とが第１表示部１５に表示される。またこの場合、オープン状態のときには、発見された複数の周辺画像の一覧ＧＲが第２表示部１６に表示される。
【０１０７】
またさらに、複数の周辺画像の中から周辺画像が一つ選択された場合は、図１８に示されるように、第２表示部１６では選択された周辺画像ＫＧ１を表示し、第１表示部１５では選択された周辺画像の関連位置情報を示す表示ＨＱ２を残し、他の周辺画像に関する表示を消去してもよい。
【０１０８】
また、上記各実施形態には、クローズ状態において周辺画像の検索が行われた場合に、検索結果を反映した案内地図を第１表示部１５に表示しつつ、オープン状態にされると周辺画像を表示する動作態様が含まれていたが、さらに異なる動作態様であってもよい。具体的には、オープン状態で周辺画像の検索が行われた場合に、検索結果を反映した案内地図を表示することなく、検索された周辺画像を第２表示部１６に表示し、表示された周辺画像が選択されたときに検索結果を反映した地図を表示してもよい。
【０１０９】
また、上記第１実施形態では、ナビゲーションモードが実行されているときに、近隣画像の検索を行っていたが、これに限定されず、位置情報取得部１１５によって現在位置情報が取得可能であれば、近隣画像の検索を行ってもよい。そして、近隣画像が発見された場合は、第１表示部１５（または第２表示部１６）に近隣画像を表示させてもよい。なお、ナビゲーションモードが実行されていないときの近隣画像の検索動作を実行するか否かは、携帯電話機１Ａで起動されているアプリケーションに応じて決定してもよい。
【０１１０】
また、上記第１実施形態では、記憶部１０７から画像データを検索する際に設定される地図上の検索領域は、予め設定された検索距離に基づいて設定されていたが、これに限定されず、ユーザの移動速度に応じて検索領域を変更してもよい。
【０１１１】
具体的には、位置情報取得部１１５で取得された現在位置情報に基づいて、単位時間当たりのユーザの移動量を算出して、ユーザの移動速度を特定する。そして、ユーザの移動速度が比較的遅く、例えば徒歩等で移動していると想定される場合は、検索距離を短く（例えば５００ｍ）設定する。一方、ユーザの移動速度が比較的速く、例えば車等で移動していると想定される場合は、検索距離を長く（例えば２ｋｍ）設定する。
【０１１２】
このように、ユーザの移動速度に応じて検索距離を設定し、検索領域を変更することによれば、ユーザの移動可能範囲の関連位置情報を有する画像データを検索することが可能になるので、ユーザの移動手段に応じた情報提供を行うことができる。
【符号の説明】
【０１１３】
１Ａ，１Ｂ，１Ｃ  携帯電話機
１０  携帯型電子機器
１１，１２  筐体
１５  第１表示部
１６  第２表示部
１０５，１０６  タッチパネル
１０７  記憶部
１１１  撮影制御部
１１２  操作内容認識部
１１３  表示制御部
１１４  状態検出部
１１５  位置情報取得部
１１６  地図取得部
１１７  画像検索部
【図１】
2011007701.tif 000003
【図２】
2011007701.tif 000004
【図３】
2011007701.tif 000005
【図４】
2011007701.tif 000006
【図５】
2011007701.tif 000007
【図６】
2011007701.tif 000008
【図７】
2011007701.tif 000009
【図８】
2011007701.tif 000010
【図９】
2011007701.tif 000011
【図１０】
2011007701.tif 000012
【図１１】
2011007701.tif 000013
【図１２】
2011007701.tif 000014
【図１３】
2011007701.tif 000015
【図１４】
2011007701.tif 000016
【図１５】
2011007701.tif 000017
【図１６】
2011007701.tif 000018
【図１７】
2011007701.tif 000019
【図１８】
2011007701.tif 000020